(57)【要約】【課題】  移動させる場合に便利であり、ファンの角度が自在に調整でき、重心のバランスを保ち、安定した設置が得られるとともに、モータを保護し、電源スイッチ、もしくは余剰の電源コードが外部に露出しない工業用送風機を提供する。【解決手段】  金属製の管材か、もしくは桿材を湾曲させて水平部と両端縁の垂直部とを有するフレームを形成し、該垂直部はＵ字状をなし、かつ平行する両管材にそれぞれ連結板を跨設し、両連結板にファンを角度が自在に調整できるように設け、該水平部の一端にはキャスタを設け、他端には高さを自在に調整できる高さ調整パッドを有する支持脚を設け、さらに該ファンは網状の正面カバーと、背面カバーと、モータと、羽根を含んでなり、該背面カバーは外方向に凸出した外部カバーと、内側に凹入した内カバーとを組み合わせて形成し、中央の位置に凹部を形成して該凹部内に該モータを取り付ける。【選択図】  図２
0003102552.tif 000002
【実用新案登録請求の範囲】
【請求項１】
設置する位置を自在に移動できるフレームと、該フレームに回動自在に設けられ、角度を調整できるファンとによって構成する工業用送風機において、
該ファンは網状の正面カバーと、背面カバーと、モータと、羽根を含んでなり、
該背面カバーは外方向に凸出した外部カバーと、内側に凹入した内カバーとを組み合わせて形成し、中央の位置に凹部を形成してなり、かつ該凹部内に該モータを取付け、モータが保護されるように構成することを特徴とする工業用送風機。
【請求項２】
前記背面カバーの幅は該ファンの水平方向の幅の３分の２とし、該正面カバーの幅は該ファンの水平方向の幅の３分の１とするとともに、該正面カバーと背面カバーとを連結した場合、正面カバーと背面カバーとが当接する位置が前方に移動し、その最も高い部位が羽根の位置に対応するように構成することを特徴とする工業用送風機。
【請求項３】
前記フレームは金属製の管材か、もしくは桿材を湾曲させて水平部と両端縁の垂直部とを形成し、該垂直部はＵ字状をなし、該水平部から湾曲して上方に延伸して形成され、該水平部の一端には、キャスタを設け、他端には高さを自在に調整できる高さ調整パッドを有する支持脚を設けることを特徴とする工業用送風機。
【考案の詳細な説明】
【技術分野】
【０００１】
本考案は、送風機に関し、特に地面などに設置する工業用の大型送風機の構造に関する。
【背景技術】
【０００２】
工業用に用いられる一般の大型送風機は、通常三脚の支持フレームで本体を三点支持し、安定した設置が得られるようにしている。但し、かかる設計は、次に掲げる欠点を有する。
１．支持フレームは安定した設置、支持が得られるように、通常、金属桿を溶接して形成する。このため重量が重くなる。また、従来の支持フレームには脚車を設けるなどの自在に移動させる機能が具えられていない。このため送風機を別の場所へ移動する場合、送風機と支持フレームをいっしょに持ち上げて移動させなければならず、不便で実用的でない。
２．送風機の重心を調節するために、モータは必ず軸心の後方に設け、送風機の大型の網状カバーと羽根の重量を利用して、支持フレーム上で重量の均衡を得る。但し、かかる構造は、モータがカバー後方に露出するため、保護されていない状態にあり、外部からの衝撃を容易に受けて損傷し易い。
３．モータが外部に露出しているため、電源コードやスイッチも外部に露出して設けられる。このため電源コードを使用しない場合、もしくはコードが長すぎる場合は、電源コードを巻きとって送風機の傍らに置く。但し、かかる方式は全体の美観を損ねるのみならず、コードに人が躓いて送風機が倒れる原因になる可能性がある。
４．三脚方式の支持フレームは、送風機の安定した設置が得られる。但し、送風機の傾斜角度を仰角に調整する場合などは送風機の重心も変化する。よって、特定の状態においては送風機の重心が安定せず、外部からの不当な力の作用を受けると、送風機が倒れる場合があり、甚だしくはこのため損傷する場合もある。
【考案の開示】
【考案が解決しようとする課題】
【０００３】
この考案は、任意に移動させることができ、使用上便利な工業用送風機を提供することを課題とする。
【０００４】
またこの考案は、モータを適宜に保護する構造を有する工業用送風機を提供することを課題とする。
【０００５】
またこの考案は、電源コードを巻き取り収納でき、電源スイッチ、もしくは余剰の電源コードが外部に露出することなく安全な工業用送風機を提供することを課題とする。
【０００６】
さらにこの考案は、重心のバランスを崩すことなく、自在に角度を調整できるとともに、安定した設置が得られ、且つファンの羽根とファンのカバーとの接触を防ぐことのできる工業用送風機を提供することを課題とする。
【課題を解決するための手段】
【０００７】
そこで、本考案者は、従来の技術に見られる欠点に鑑み鋭意研究を重ねた結果、金属製の管材か、もしくは桿材を湾曲させて水平部と両端縁の垂直部とを有するフレームを形成し、該垂直部はＵ字状をなし、かつ平行する両管材にそれぞれ連結板を跨設し、両連結板にファンを角度が自在に調整できるように設け、該水平部の一端にはキャスタを設け、他端には高さを自在に調整できる高さ調整パッドを有する支持脚を設け、さらに該ファンは網状の正面カバーと、背面カバーと、モータと、羽根を含んでなり、該背面カバーは外方向に凸出した外部カバーと、内側に凹入した内カバーとを組み合わせて形成し、中央の位置に凹部を形成して該凹部内に該モータを取り付ける工業用送風機の構造によって本考案の課題が解決できる点に着眼し、かかる知見に基づき本考案を化成させた。
【０００８】
以下この考案について具体的に説明する。
請求項１に記載する工業用送風機は、設置する位置を自在に移動できるフレームと、該フレームに回動自在に設けられ、角度を調整できるファンとによって構成する工業用送風機であって、
該ファンは網状の正面カバーと、背面カバーと、モータと、羽根を含んでなり、
該背面カバーは外方向に凸出した外部カバーと、内側に凹入した内カバーとを組み合わせて形成し、中央の位置に凹部を形成してなり、かつ該凹部内に該モータを取付け、モータが保護されるように構成する。
【０００９】
請求項２に記載する工業用送風機は、請求項１における背面カバーの幅について該ファンの水平方向の幅の３分の２とし、該正面カバーの幅は該ファンの水平方向の幅の３分の１とするとともに、該正面カバーと背面カバーとを連結した場合、正面カバーと背面カバーとが当接する位置が前方に移動し、その最も高い部位が羽根の位置に対応するように構成する。
【００１０】
請求項３に記載する工業用送風機は、請求項１におけるフレームが金属製の管材か、もしくは桿材を湾曲させて水平部と両端縁の垂直部とを形成し、該垂直部はＵ字状をなし、該水平部から湾曲して上方に延伸して形成され、該水平部の一端には、キャスタを設け、他端には高さを自在に調整できる高さ調整パッドを有する支持脚を設ける。
【考案の効果】
【００１１】
この考案による工業用送風機は、移動させる場合に便利であり、ファンの角度が自在に調整でき、重心のバランスを保ち、安定した設置が得られるとともに、モータを保護し、電源スイッチ、もしくは余剰の電源コードが外部に露出することなく安全である。
【考案を実施するための最良の形態】
【００１２】
この考案は、地面などに設置する工業用の大型送風機を提供するものであって、金属製の管材か、もしくは桿材を湾曲させて水平部と両端縁の垂直部とを有するフレームを形成し、該垂直部はＵ字状をなし、かつ平行する両管材にそれぞれ連結板を跨設し、両連結板にファンを角度が自在に調整できるように設け、該水平部の一端にはキャスタを設け、他端には高さを自在に調整できる高さ調整パッドを有する支持脚を設け、さらに該ファンは網状の正面カバーと、背面カバーと、モータと、羽根を含んでなり、該背面カバーは外方向に凸出した外部カバーと、内側に凹入した内カバーとを組み合わせて形成し、中央の位置に凹部を形成して該凹部内に該モータを取り付け、構成する。
係る工業用送風機の構造と特徴を詳述するために、具体的な実施例を挙げ図示を参照にして以下に説明する。
【実施例】
【００１３】
図１は、この考案による送風機の外観を表わす斜視図であって、図２は分解図である。図３は断面構造を表す説明図である。図面によれば、フレーム（１０）と、該フレーム（１０）に回動自在に設けられ、自在に角度を調整できるファン（２０）とによって送風機を構成する。
【００１４】
フレーム（１０）は金属製の管材（もしくは桿材）を湾曲させて形成し、水平部と両端縁の垂直部とを具える。該垂直部はＵ字状をなし、該水平部から湾曲して上方に延伸して形成される。フレーム（１０）の水平部の一端には、キャスタ（１１）を設け、他端には支持脚（１２）を設ける。該支持脚（１２）の底部には高さを自在に調整できる高さ調整パッド（１３）を設け、該高さ調整パッド（１３）の高さを調整することによってフレーム（１０）の安定した設置が得られる。また、フレーム（１０）の両端縁の垂直部には、平行する両管材を連結する連結板（１４）をそれぞれ跨設する。該連結板（１４）の中央の位置には軸支孔（１５）を穿設し、ボルト（１７）を該軸支孔（１５）に挿通させて、かつ弾性パッド（１６）を介在させてファン（２０）を角度が自在に調整できるように取り付ける。
【００１５】
ファン（２０）は、正面に設ける網状の正面カバー（２１）と、背面に設ける網状の背面カバー（２２）と、モータ（３０）と、羽根（４０）などによって構成する。該背面カバー（２２）は外方向に凸出した外部カバー（２２１）と、内側に凹入した内カバー（２２２）とを組み合わせ、溶接して形成する。よって、背面カバー（２２）は中央の位置に凹部が形成される。
【００１６】
モータ（３０）は、外周面に取付け座（３１）を形成し、該取付け座（３１）によって該背面カバー（２２）の凹部に取り付ける。このためモータ（３０）は、背面カバー（２２）の凹部内に位置し、かつ取付け座（３１）の位置が後方に位置し、モータ（３０）の回転軸が前方に延伸して羽根（４０）が前方に位置する。したがって、ファン（３０）の重心は、ファン（２０）の水平方向の中間に位置する。羽根（４０）の位置がさらに前方に位置する場合は、背面カバー（２２）の幅を増加させ、ファン（２０）の幅の約３分の２を占めるまでを限度とする。この場合、正面カバー（２１）の幅は縮小し、ファン（２０）の幅の３分の１を占めるまでを限度とする。正面カバー（２１）と背面カバー（２２）は締結リング（２３）で締結して連結する。この状態において、正面カバー（２１）と背面カバー（２２）とが当接する位置が前方に移動し、その最も高い部位が羽根（４０）の位置に対応する。よって羽根（４０）がカバーに接触する恐れがなく、安全である。
【００１７】
背面カバー（２２）の背面側に形成された凹部には、スイッチ（５０）と、電源コード（６０）を設ける。このため、スイッチ（５０）を保護することができ、また、ファン（２０）を使用しない場合には電源コード（６０）を凹部に収納することができ、スイッチ（５０）や電源コード（６０）が外部に露出することがない。
【００１８】
上述の構成による送風機は、ファン（２０）の角度が自在に調整できるようにフレーム（１０）に設ける。設置する位置を移動させる場合は、フレーム（１０）のキャスタ（１１）が設けられていない一端を持ち上げて設置面からわずかに離し、キャスタ（１１）の作用で所定の位置に移動させることができる。よって、移動に便利であって、従来の工業用送風機に見られるように支持フレームを持ち上げて搬送しなければならないという不便を改善することができる。また、この考案による送風機はフレーム（１０）にキャスタ（１１）と、高さ調節パッド（１３）とを設けた四点支持であって、さらにファン（２０）の重心を調整した構造を具えるため、送風機の安定した設置が得られる。
【００１９】
また、ファン（２０）の背面カバー（２２）の凹部を形成する構造は、モータ（３０）を該凹部内に隠蔽するように設け、保護を与えるとともに、スイッチ（５０）や電源コード（６０）を該凹部内に整合させることができる。よって、全体の外観を整え、すっきりさせることができ、かつスイッチ（５０）や電源コード（６０）などが外部に露出することがない。
【００２０】
上述の構成による工業用送風機は、以下に掲げる特徴を具える。
１．フレームにキャスタを設けることによって、送風機を任意の場所に移動させることができ、搬送に大きな労力を必要とせず、実用的である。
２．背面カバーの中央の位置に凹部を形成し、モータを該凹部内に設けるため、モータが保護されるとともに、ファンの重心が水平方向の中間に位置し、ファンの安定した設置が得られる。
３．正面カバーと背面カバーの幅を調整し、両カバーを組み合わせた場合の最高点が羽根の位置に対応するように構成する。このため羽根がカバーに接触する恐れがなく安全である。
４．背面カバーの凹部には、スイッチを設け、電源コードを収納することができる。よってスイッチや余剰の電源コードが外部に露出することがなく、全体的な外観をすっきりまとめることができる。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２２】
【図１】この考案の工業用送風機の構造を示した斜視図である。
【図２】図１に開示する工業用送風機の構造を示した側面図である。
【図３】図１に開示する工業用送風機の構造を示した分解図である。
【符号の説明】
【００２３】
１０  フレーム
１１  キャスタ
１２  支持脚
１３  調整パッド
１４  連結板
１５  軸支孔
１６  弾性パッド
１７  ボルト
２０  ファン
２１  正面カバー
２２  背面カバー
２２１  外部カバー
２２２  内カバー
２３  締結リング
３０  モータ
３１  取付け座
４０  羽根
５０  スイッチ
６０  電源コード
【図１】
0003102552.tif 000003
【図２】
0003102552.tif 000004
【図３】
0003102552.tif 000005